(57)【要約】【課題】画像表示装置の俯仰角を容易に調整することができる、体裁のよい画像表示装置を提供する。【解決手段】ディスプレイ３を備えた筐体２の俯仰角が調整可能な画像表示装置１であって、上記筐体２の底部２ａの形状を凸曲面とし、その底部２ａの内面に略沿って位置を変更できるように、バランスウェイト４を上記筐体２の内部に設けた構成とする。筐体２の底部２ａの形状を凸曲面としているので、その底部２ａの内面に略沿って位置変更できるように設けられたバランスウェイト４の位置を変更すると、筐体２の重心位置が移動して筐体２が傾くので、画像表示装置１の俯仰角を容易且つ所望の角度に調整することができる。筐体２の内部に俯仰角を調整するためのバランスウェイト４が収まっているので、筐体２の俯仰角を調整する部材が外部に露出することがなく体裁がよい。【選択図】図１
2012013720.tif 000002
【特許請求の範囲】
【請求項１】
ディスプレイを備えた筐体の俯仰角が調整可能な画像表示装置であって、
上記筐体の底部の形状を凸曲面とし、
その底部の内面に略沿って位置を変更できるように、バランスウェイトを上記筐体の内部に設けたことを特徴とする画像表示装置。
【請求項２】
筐体の長さ方向に伸びるリブを、底部の内面に一定の間隔をあけて複数本形成し、その任意のリブ間にバランスウェイトを設置することで、底部の内面に略沿ってバランスウェイトの位置を変更できるようにしたことを特徴とする請求項１に記載の画像表示装置。
【請求項３】
回転軸に固定した保持板にバランスウェイトを保持させ、モーターで回転軸を回転させることで、底部の内面に略沿ってバランスウェイトの位置を変更できるようにしたことを特徴とする請求項１に記載の画像表示装置。
【発明の詳細な説明】
【技術分野】
【０００１】
本発明は、ディスプレイを備えた筐体の俯仰角が調整可能な画像表示装置に関する。
【背景技術】
【０００２】
従来、チルト機構を有する表示装置として、基台上にディスプレイ本体を、傾斜調整可能に搭載したディスプレイ装置（特許文献１）や、表示器と、該表示器と連結された底面が円弧状の台座と、該台座の底面側に取付けられる錘とからなる表示装置（特許文献２）などが提案されてきた。
【０００３】
しかしながら、上記特許文献１のディスプレイ装置や上記特許文献２の表示装置などは、ディスプレイ（表示器）と基台（台座）が別体なため、製造コストがかかるという問題があった。
【０００４】
このような事情から、ディスプレイと、凸状の底面を有する基部と、ディスプレイと基部との間に連結された連結部材と、連結部材に取付けられた錘とから構成された表示装置のように、ディスプレイと基台が一体の表示装置も提案されている（特許文献３）。
【先行技術文献】
【特許文献】
【０００５】
【特許文献１】特開平０４−２０８９８５号公報
【特許文献２】特開平０２−２７１３８４号公報
【特許文献３】特開２００７−１４０４３９号公報
【発明の概要】
【発明が解決しようとする課題】
【０００６】
しかしながら、上記特許文献３の表示装置は、連結部材や錘が外部に露出しているため、体裁があまり良くなかった。
【０００７】
本発明は上記の問題に鑑みてなされたもので、その解決しようとする課題は、画像表示装置の俯仰角を容易に調整することができる、体裁のよい画像表示装置を提供することにある。
【課題を解決するための手段】
【０００８】
上記目的を達成するため、本発明に係る画像表示装置は、ディスプレイを備えた筐体の俯仰角が調整可能な画像表示装置であって、上記筐体の底部の形状を凸曲面とし、その底部の内面に略沿って位置を変更できるように、バランスウェイトを上記筐体の内部に設けたことを特徴とするものである。
【０００９】
本発明の画像表示装置においては、筐体の長さ方向に伸びるリブを、底部の内面に一定の間隔をあけて複数本形成し、その任意のリブ間にバランスウェイトを設置することで、底部の内面に略沿ってバランスウェイトの位置を変更できるようにすることが好ましい。また、回転軸に固定した保持板にバランスウェイトを保持させ、モーターで回転軸を回転させることで、底部の内面に略沿ってバランスウェイトの位置を変更できるようにした画像表示装置も好ましい。
【発明の効果】
【００１０】
本発明の画像表示装置は、筐体底部の形状を凸曲面としているので、その底部の内面に略沿って設けられたバランスウェイトの位置を変更すると、筐体の重心位置が移動して筐体が傾くので、画像表示装置の俯仰角を容易且つ所望の角度に調整することができる。即ち、筐体を前傾させたいときは、バランスウェイトの位置を底部の内面に略沿って前側に変更すればよく、筐体を後傾させたいときは、バランスウェイトの位置を底部の内面に略沿って後側に変更すればよい。また、本発明の画像表示装置は、ディスプレイを備えた筐体そのものに、俯仰角が調整可能な機能を付加してあるので、従来の表示装置のように、ディスプレイと基台を別体に形成する必要がなく、製造コストを抑えることができる。しかも、筐体の内部に俯仰角を調整するためのバランスウェイトが収まっているので、筐体の俯仰角を調整する部材が外部に露出することがなく体裁もよい。このような本発明の画像表示装置は、平坦面だけでなく傾斜面に設置する際にも好適に用いられる。
【００１１】
上記のように、筐体の底部の内面に略沿って位置を変更できるように、バランスウェイトを筐体の内部に設けるには種々の態様が考えられる。その一つに、筐体の長さ方向に伸びるリブを、底部の内面に一定の間隔をあけて複数本形成し、その任意のリブ間にバランスウェイトを設置することで、底部の内面に略沿ってバランスウェイトの位置を変更できるようにした画像表示装置がある。このような画像表示装置は、任意のリブ間にバランスウェイトを設置するだけで、バランスウェイトの位置が変更されるので、画像表示装置の俯仰角を容易に調整することができる。しかも、画像表示装置の構造を、このような簡易なものとすることで、製造コストを最大限節約することもできる。
【００１２】
また、回転軸に固定した保持板にバランスウェイトを保持させ、モーターで回転軸を回転させることで、底部の内面に略沿ってバランスウェイトの位置を変更できるようにした画像表示装置も、上記の画像表示装置と同様に、容易にバランスウェイトの位置変更ができる。特に、この画像表示装置は、モーターを用いるので、若干のコストアップとなるが、俯仰角の調整がより容易となり、微調整も可能となる。
【図面の簡単な説明】
【００１３】
【図１】本発明の一実施形態に係る画像表示装置の斜視図である。
【図２】蓋体を取り外したときの同表示装置の側面図である。
【図３】同表示装置を前傾させたときの状態を示す側面図である。
【図４】同表示装置を後傾させたときの状態を示す側面図である。
【図５】本発明の他の実施形態に係る画像表示装置の正面図である。
【図６】図５のＡ−Ａ断面図である。
【発明を実施するための最良の形態】
【００１４】
以下、図面を参照して本発明の具体的な実施形態を詳述する。
【００１５】
図１に示す本発明の画像表示装置１は、前面にディスプレイ３を備えた筐体２の側面形状が、略扇形をした小型の液晶テレビであって、その筐体２の俯仰角を任意に調整することができるように開発されたものである。この画像表示装置１は、ディスプレイ３が筐体２の前面の開口に露出しており、また、図示はしていないが、その内部には液晶モジュールやメイン基板、スピーカーなどが内蔵されている。
尚、本実施形態の画像表示装置１は液晶テレビであるが、画像を表示するものであればテレビに限定されるものではなく、例えば、デジタルフォトフレームなどでもよい。
【００１６】
上記筐体２の底部２ａは、図１、図２に示すように、側面視したときの形状が略半円形となるように形成された凸曲面であり、このように、筐体２の底部２ａの形状を凸曲面とすることで、筐体２が前傾したり後傾したりすることが可能になる。また、筐体２の一側面（本実施形態では左側面）を半円形に切欠くことで開口部２ｂが形成されており、この開口部２ｂに、同形状の蓋体２ｃが取付けられている。この蓋体２ｃは、筐体２の開口部２ｂに脱着自在に取付けられたもので、後述するように、バランスウェイト４の位置を変更する際に簡単に取り外しができるようになっている。
【００１７】
また、筐体２の内部には、図１、図２に示すように、バランスウェイト４が設けられている。バランスウェイト４は、円柱形をした金属製の錘であって、このバランスウェイト４の位置を、底部２ａの内面に沿って変更すると、筐体２の重心が移動し、図３に示すように、筐体２が前傾したり、図４に示すように、筐体２が後傾したりする。従って、筐体２を所望の俯仰角に傾けて、且つ、その状態でバランスを保つだけの重量が必要なため、金属の中でも重量のある鉛製のバランスウェイト４が好適に用いられる。
【００１８】
そして、バランスウェイト４の位置を、底部２ａの内面に沿って変更するために、底部２ａの内面には複数本（本実施形態では６本）のリブ５が形成されている。このリブ５は、図１に示すように、筐体２の長さ方向の全域に亘り、一定の間隔をあけて形成された凸条片であり、バランスウェイト４を確実に設置するために、図２に示すように、リブ５とそのリブ５に隣接するリブ５との間隔は、バランスウェイト４の直径と略同じか、やや大きい程度の寸法に設定されており、また、その高さは、バランスウェイト４の半径よりも高くなるように形成されている。このリブ５とリブ５の間にバランスウェイト４を設置すると、バランスウェイト４は、リブ５，５間に保持されて確実に設置されるので、バランスウェイト４がゴロゴロ動いて筐体２の重心位置が移動することがなくなり、その重心位置のまま筐体２を静止させることができる。
【００１９】
更に詳述すると、画像表示装置１を前傾させたいとき、即ち、図２に示す通常の角度から図３に示す前傾した角度に俯仰角を調整したいときは、上記筐体２の開口部２ｂに取付けられている蓋体２ｃを取り外して、その内部のリブ５，５間（前から３番目のリブ５と４番目のリブ５）に設置されたバランスウェイト４を引き抜いて、一つ前側に形成されたリブ５，５（前から２番目のリブ５と前から３番目のリブ５）の間にバランスウェイト４を設置する。このようにすれば、筐体２の重心位置が中央から前側へと移動して筐体２が前傾し、その状態でバランスが保たれて静止する。
【００２０】
また、画像表示装置１を、図３に示す状態よりも更に前傾させたいときは、上記と同様の作業を行って、バランスウェイト４の位置を、前から１番目のリブ５と前から２番目のリブ５の間に変更すると、筐体２の重心位置が更に前側へと移動して、筐体２がより一層前傾する。
【００２１】
一方、画像表示装置１を、図２に示す通常の角度よりも後傾させたいときは、上記と同様の作業を行って、バランスウェイト４の位置を、前から４番目のリブ５と前から５番目のリブ５の間に変更すると、筐体２の重心位置が後側へと移動して筐体２が後傾する。
尚、画像表示装置１をより一層後傾させたいときは、バランスウェイト４の位置を、前から５番目のリブ５と前から６番目のリブ５の間に変更すればよいことは言うまでもない。
【００２２】
このように本発明の画像表示装置１は、筐体２の底部２ａの形状を凸曲面としているので、その内面に略沿って設けられたバランスウェイト４の位置を、所望の俯仰角となる位置に形成されたリブ５，５間に変更するだけで、筐体２の重心位置が移動して筐体２が傾き、その状態のまま重心のバランスが保たれて静止するので、画像表示装置１の俯仰角を所望の角度に容易に調整することができる。また、本発明の画像表示装置１は、ディスプレイ３を備えた筐体２そのものに、俯仰角が調整可能な機能、即ち、凸曲面とした底部２ａやバランスウェイト４やリブ５を付加してあり、しかもそれらは筐体２の内部に収まっているので、従来の表示装置のように、ディスプレイと基台を別体に形成する必要がなく、製造コストを抑えることができると共に、筐体２の俯仰角を調整する部材が外部に露出することがないので体裁もよい。
【００２３】
また、以上のような画像表示装置１は、平坦面に設置するだけでなく、傾斜面に設置する際にも好適に用いられる。即ち、前下りの傾斜面に画像表示装置１を設置する際に、ディスプレイ３が地面に対して垂直になるようにしたい場合は、上記図３に示すように、前から２番目のリブ５と前から３番目のリブ５の間にバランスウェイト４を設置すれば、ディスプレイ３が地面に対して垂直になる。このように、画像表示装置１を傾斜面に設置する際は、底部２ａに滑り止め加工を施せば、画像表示装置１がずり落ちる心配がなくなるので好ましい。
【００２４】
図５は本発明の他の実施形態に係る画像表示装置の正面図、図６は図５のＡ−Ａ断面図である。
【００２５】
図５に示す実施形態の画像表示装置１０は、前述した図１から図４に示す実施形態の画像表示装置１と同様に、ディスプレイ３を備えた筐体２の側面形状が略扇形をした小型の液晶テレビであって、ディスプレイ３が筐体２の前面の開口に露出しており、その内部には液晶モジュールやメイン基板、スピーカーなどが内蔵されていると共に、筐体２の俯仰角を任意に調整するためのモーター６が設けられている。
【００２６】
上記筐体２の内部に設けられたモーター６は、図５に示すように、減速ギア６ａを介して、左右に設けられた２つの軸受８，８によって支持された回転軸７と連結されている。また、回転軸７の左右には、図６に示すように、回転軸７とバランスウェイト４を挿通する円形の開口が上下に穿孔された扇形の保持板７ａ，７ａが固定されており、この保持板７ａ，７ａによってバランスウェイト４が保持されている。
【００２７】
上記部材から構成された画像表示装置１０のモーター６を起動すると、その回転出力は減速ギア６ａを介して回転軸７に伝達されて、回転軸７が回転する。このように回転軸７が回転すると、図６に示すように、その回転軸７に固定された保持板７ａ，７ａも回転し始めて、保持板７ａに保持されたバランスウェイト４が、該回転軸７を中心に、筐体２の底部２ａの内面に略沿って揺動する。このとき、減速ギア６ａを介さずに直接モーター６の回転出力を回転軸７に伝達すると、回転軸７が回転しすぎて、バランスウェイト４の位置の微調整が困難となるが、本実施形態の画像表示装置１０のように、減速ギア６ａを、モーター６と回転軸７の間に介することで、バランスウェイト４の位置の微調整が可能となって、筐体２を任意の俯仰角に調整することができるようになる。
この実施形態に示す画像表示装置１０のその他の構成は、前述した図１から図４に示す実施形態の画像表示装置１と同様であるので、同一部材に同一符号を附して説明を省略する。
【００２８】
以上のような、モーター６で回転軸７を回転させて、筐体２の底部２ａの内面に略沿ってバランスウェイト４の位置を変更できるようにした本発明の画像表示装置１０は、筐体２の俯仰角を前下りに調整したい場合、モーター６を起動し、その回転出力によって回転軸７と保持板７ａを共に回転させることでバランスウェイト４の位置を前側へと変更し、所望の俯仰角となった位置でモーター６を停止すれば、筐体２の重心位置が前側へと移動して画像表示装置１０は前傾する。一方、筐体２を後傾させたいときは、モーター６を逆回転させればよい。このように、本実施形態の画像表示装置１０は、前述した図１から図４に示す実施形態の画像表示装置１よりも若干のコストアップとなるが、手動ではなく電動によって筐体２の俯仰角を調整することできるので、例えば、リモコンでモーター６を起動できるようにすれば、ベッドに寝ながらでも画像表示装置１０の俯仰角を細かく調整することが可能になる。
【符号の説明】
【００２９】
１，１０  画像表示装置
２    筐体
２ａ  底部（凸曲面）
２ｂ  開口部
２ｃ  蓋体
３    ディスプレイ
４    バランスウェイト
５    リブ
６    モーター
６ａ  減速ギア
７    回転軸
７ａ  保持板
８    軸受
【図１】
2012013720.tif 000003
【図２】
2012013720.tif 000004
【図３】
2012013720.tif 000005
【図４】
2012013720.tif 000006
【図５】
2012013720.tif 000007
【図６】
2012013720.tif 000008